(57)【特許請求の範囲】
【請求項１】
用紙に画像を形成する画像形成部と、
前記画像形成部により前記用紙に形成された前記画像を読み取る出力物読取部と、
前記画像形成部による画像形成，前記出力物読取部による読み取り，前記出力物読取部による読み取り結果に基づく前記画像形成部における複数種類の調整，及び前記出力物読取部における校正を制御する制御部と、を有する画像形成装置であって、
前記制御部は、ジョブ実行中の紙間で実施する前記出力物読取部における前記校正について、前記画像形成部で実施する前記調整の種類に応じて前記校正の要否を判定し、前記判定の結果に応じて当該校正を実行するか否かを制御する、
ことを特徴とする画像形成装置。
【請求項２】
前記制御部は、
複数種類の前記調整のそれぞれにおいて、前記校正の要否をテーブルに設定しておき、
前記テーブルの設定を参照して前記校正の要否を判定する、
ことを特徴とする請求項１記載の画像形成装置。
【請求項３】
前記制御部は、
複数種類の前記調整のそれぞれにおいて、前記校正を実行してから次に実行が必要になるまでの調整間隔を予め定めておき、
複数種類の前記調整のそれぞれにおいて、前記校正を前回実行したときからの経過時間を算出し、前記経過時間が前記調整間隔を超えている場合に、当該校正を実行するよう制御する、
ことを特徴とする請求項１乃至請求項２のいずれか一項に記載の画像形成装置。
【請求項４】
前記制御部は、前記調整を開始する際に前記校正の要否を判定する、
ことを特徴とする請求項３に記載の画像形成装置。
【請求項５】
前記出力物読取部は、前記用紙の読み取り位置を照明する光源と、前記光源により照明された読み取り位置の画像を読み取るインラインセンサとを備えて構成され、
前記制御部は、前記光源の点灯開始から所定時間が経過するまでは、前記調整間隔を変更する、
ことを特徴とする請求項３乃至請求項４のいずれか一項に記載の画像形成装置。
【請求項６】
前記制御部は、校正実行時において、次に前記校正を実行する時までの間に実行する予定のいずれかの前記調整が存在するか否かを調べ、次に前記校正を実行する時までの間に実行する予定のいずれかの前記調整が存在する場合には、実行する予定の前記調整の実行タイミングを早めるように制御する、
ことを特徴とする請求項３乃至請求項５のいずれか一項に記載の画像形成装置。
【請求項７】
前記制御部は、
次に前記校正を実行するタイミングと前記調整を次に実行するタイミングとの差が一定範囲内である場合に、実行する予定の前記調整の実行タイミングを早めるように制御する、
ことを特徴とする請求項６に記載の画像形成装置。
【請求項８】
前記制御部は、前記画像形成部で実施する前記調整の種類に応じて、前記校正の実行開始から実行終了までの読み取りライン数を決定する、
ことを特徴とする請求項１乃至請求項７のいずれか一項に記載の画像形成装置。
【請求項９】
前記出力物読取部は、前記用紙の両面に形成された前記画像を読み取ることが可能に構成されており、
前記制御部は、
前記用紙の片面の読み取りについて前記出力物読取部を校正を実行する片面校正の制御と、前記用紙の両面の読み取りについて前記出力物読取部を校正を実行する両面校正の制御とが可能であり、
片面校正を実行するタイミングにおいて、次に両面校正を実行するタイミングが所定範囲以内であれば、片面校正の代わりに両面校正を実行するように制御する、
ことを特徴とする請求項１乃至請求項８のいずれか一項に記載の画像形成装置。
【請求項１０】
用紙に画像を形成する画像形成部と、前記画像形成部により前記用紙に形成された前記画像を読み取る出力物読取部と、前記画像形成部による画像形成，前記出力物読取部による読み取り，前記出力物読取部による読み取り結果に基づく前記画像形成部における複数種類の調整，及び前記出力物読取部における校正を制御する制御部と、を有する画像形成装置を制御する画像形成制御方法であって、
前記制御部は、ジョブ実行中の紙間で実施する前記出力物読取部における前記校正について、前記画像形成部で実施する前記調整の種類に応じて前記校正の要否を判定し、前記判定の結果に応じて当該校正を実行するか否かを制御する、
ことを特徴とする画像形成制御方法。
【発明の詳細な説明】
【技術分野】
【０００１】
本発明は、画像形成装置及び画像形成制御方法に関し、特に、画像形成部により画像形成された用紙の画像を読み取る出力物読取部を備えた画像形成装置とその制御方法とに関する。
【背景技術】
【０００２】
用紙に画像を形成する画像形成部の下流側にインラインセンサ等で構成される出力物読取部を接続し、画像形成された用紙上の画像を読み取る画像形成装置が存在している。また、用紙に画像を形成する画像形成装置の後段に読取装置（出力物読取装置）を接続し、画像形成された用紙上の画像を読取装置で読み取る画像形成システムが存在している。
【０００３】
このような画像形成装置や画像形成システムでは、画像形成後の読み取り結果を参照し、画像形成位置や画質（色、濃度、線幅など）を調整する機能を備えている。
なお、出力物読取部で使用されるインラインセンサでは、ＣＣＤやＣＩＳを撮像素子としている。これら撮像素子では、画像を読み取る前に、白色基準面により素子の感度調整をするゲイン補正や、ランプの光量ムラ補正をするシェーディング補正といった、校正を必要とする。また、ランプの発熱による温度上昇により、ランプ光量が低下して色味が変化することがあるため、用紙の連続読み取り中にも白色基準面による定期的な校正が必要となる。
【０００４】
但し、白色基準面は校正の基準であるので、汚れを防止することが必要不可欠である。このため、校正時のみ白色基準面を読み取り位置に配置し、それ以外の期間（画像読み取り時、用紙通紙時）は白色基準面を退避させて別の通紙面を読み取り位置に配置する必要がある。
【０００５】
この種の技術としては、以下の特許文献に各種の関連提案がなされている。
【先行技術文献】
【特許文献】
【０００６】
【特許文献１】特開２００２−３０５６３３号公報
【発明の概要】
【発明が解決しようとする課題】
【０００７】
以上の特許文献１では、前回のシェーディング補正から所定時間が経過すると、シェーディング補正を実行することが記載されている。
ところで、シェーディング補正を実施するためには、退避させておいた白色基準面を読み取り位置に移動させる必要がある。
【０００８】
例えば、インラインセンサの読み取り方向を長手方向とする角柱に、白色基準面と通紙面を形成しておいて、この角柱を回転させることで、シェーディング補正時には読み取り位置に白色基準面を配置し、シェーディング補正時以外には読み取り位置に通紙面を配置する。
【０００９】
ここで、退避させておいた白色基準面を読み取り位置に移動させるには、白色基準面を機械的に移動させる移動時間が必要になる。以上の具体例では、角柱を回転させる時間が必要になる。
近年の高生産性の画像形成装置では、印刷ジョブ実行中の紙間期間に、以上の白色基準面をセットしてシェーディング補正やゲイン補正といった出力物読取部の校正を実行することは困難である。
【００１０】
そのため用紙の間隔（紙間期間）を広げる必要があるが、校正実施の度に連続読み取り中に画像形成を一時停止して紙間を広げることは生産性低下につながるため、望ましくない。
本発明は、適切なタイミングで出力物読取部の校正を実行することで、生産性低下を抑えることが可能な画像形成装置及び画像形成制御方法を実現することを目的とする。
【課題を解決するための手段】
【００１１】
すなわち、前記した課題を解決する本発明は、以下の通りである。
（１）本発明の一側面が反映された画像形成装置又は画像形成制御方法は、用紙に画像を形成する画像形成部と、前記画像形成部により前記用紙に形成された前記画像を読み取る出力物読取部と、前記画像形成部による画像形成，前記出力物読取部による読み取り，前記出力物読取部による読み取り結果に基づく前記画像形成部における複数種類の調整，及び前記出力物読取部における校正を制御する制御部と、を有する画像形成装置の制御方法において、前記制御部は、ジョブ実行中の紙間で実施する前記出力物読取部における前記校正について、前記画像形成部で実施する前記調整の種類に応じて前記校正の要否を判定し、前記判定の結果に応じて当該校正を実行するか否かを制御する、ことを特徴とする。
【００１２】
（２）上記（１）において、前記制御部は、複数種類の前記調整のそれぞれにおいて、前記校正の要否をテーブルに設定しておき、前記テーブルの設定を参照して前記校正の要否を判定する、ことを特徴とする。
（３）上記（１）〜（２）において、前記制御部は、複数種類の前記調整のそれぞれにおいて、前記校正を実行してから次に実行が必要になるまでの調整間隔を予め定めておき、複数種類の前記調整のそれぞれにおいて、前記校正を前回実行したときからの経過時間を算出し、前記経過時間が前記調整間隔を超えている場合に、当該校正を実行するよう制御する、ことを特徴とする。
【００１３】
（４）上記（３）において、前記制御部は、前記調整を開始する際に前記校正の要否を判定する、ことを特徴とする。
（５）上記（３）〜（４）において、前記出力物読取部は、前記用紙の読み取り位置を照明する光源と、前記光源により照明された読み取り位置の画像を読み取るインラインセンサとを備えて構成され、前記制御部は、前記光源の点灯開始から所定時間が経過するまでは、前記調整間隔を変更する、ことを特徴とする。
【００１４】
（６）上記（３）〜（５）において、前記制御部は、校正実行時において、次に前記校正を実行する時までの間に実行する予定のいずれかの前記調整が存在するか否かを調べ、次に前記校正を実行する時までの間に実行する予定のいずれかの前記調整が存在する場合には、実行する予定の前記調整の実行タイミングを早めるように制御する、ことを特徴とする。
【００１５】
（７）上記（６）において、前記制御部は、次に前記校正を実行するタイミングと前記調整を次に実行するタイミングとの差が一定範囲内である場合に、実行する予定の前記調整の実行タイミングを早めるように制御する、ことを特徴とする。
（８）上記（１）〜（７）において、前記制御部は、前記画像形成部で実施する前記調整の種類に応じて、前記校正の実行開始から実行終了までの読み取りライン数を決定する、ことを特徴とする。
【００１６】
（９）上記（１）〜（８）において、前記出力物読取部は、前記用紙の両面に形成された前記画像を読み取ることが可能に構成されており、前記制御部は、前記用紙の片面の読み取りについて前記出力物読取部を校正を実行する片面校正の制御と、前記用紙の両面の読み取りについて前記出力物読取部を校正を実行する両面校正の制御とが可能であり、片面校正を実行するタイミングにおいて、次に両面校正を実行するタイミングが所定範囲以内であれば、片面校正の代わりに両面校正を実行するように制御する、ことを特徴とする。
【発明の効果】
【００１７】
本発明によると以下のような効果を奏することができる。
（１）本発明の一側面が反映された画像形成装置又は画像形成制御方法では、ジョブ実行中の紙間で実施する出力物読取部におけるシェーディング補正等の校正について、画像形成部で実施する調整の種類に応じて校正の要否を判定し、判定の結果に応じて当該校正を実行するか否かを制御するため、適切なタイミングで出力物読取部の校正を実行することができ、生産性低下を抑えることが可能になる。
【００１８】
（２）上記（１）において、複数種類の調整のそれぞれについて、校正の要否をテーブルに設定しておき、テーブルの設定に基づいて校正の要否を判定するため、複数種類の調整のそれぞれについて適切なタイミングで出力物読取部の校正を実行することができ、生産性低下を抑えることが可能になる。
【００１９】
（３）上記（１）〜（３）において、複数種類の調整のそれぞれについて、校正を実行してから次に実行が必要になるまでの調整間隔を予め定めておき、複数種類の調整のそれぞれについて、校正を前回実行したときからの経過時間を算出し、経過時間が調整間隔を超えている場合に、当該校正を実行するよう制御するため、複数種類の調整のそれぞれについて調整間隔に基づいて適切なタイミングで確実に出力物読取部の校正を実行することができ、生産性低下を抑えることが可能になる。
【００２０】
（４）上記（３）において、調整を開始する際に校正の要否を判定するため、複数種類の調整のそれぞれについて、無駄なく、適切なタイミングで出力物読取部の校正を実行することができ、生産性低下を抑えることが可能になる。
（５）上記（３）〜（４）において、出力物読取部の光源の点灯開始から所定時間が経過するまでは、調整間隔を変更するため、調整間隔に基づいて適切なタイミングで確実に出力物読取部の校正を実行することができ、かつ、光源の点灯状態に従って適切なタイミングで確実に出力物読取部の校正を実行することができ、生産性低下を抑えることが可能になる。
【００２１】
（６）上記（３）〜（５）において、校正実行時において、次に校正を実行する時までの間に実行する予定のいずれかの調整が存在するか否かを調べ、次に校正を実行する時までの間に実行する予定のいずれかの調整が存在する場合には、実行する予定の調整の実行タイミングを早めるように制御するため、複数の調整について１回の校正で済ませることができるため、出力物読取部の校正を少ない回数に抑えることができ、生産性低下を抑えることが可能になる。
【００２２】
（７）上記（６）において、次に校正を実行するタイミングと調整を次に実行するタイミングとの差が一定範囲内である場合に、実行する予定の調整の実行タイミングを早めるように制御するため、複数の調整を適切に関連付け、それら複数の調整について１回の校正で済ませることができるため、出力物読取部の校正を少ない回数に抑えることができ、生産性低下を抑えることが可能になる。
【００２３】
（８）上記（１）〜（７）において、画像形成部で実施する調整の種類に応じて、校正の実行開始から実行終了までの読み取りライン数を決定するため、出力物読取部の校正を少ない時間に抑えることができ、生産性低下を抑えることが可能になる。
（９）上記（１）〜（８）において、片面校正を実行するタイミングにおいて、次に両面校正を実行するタイミングが所定範囲以内であれば、片面校正の代わりに両面校正を実行するように制御するため、片面校正と両面校正とを１回の両面校正で済ませることができるため、出力物読取部の校正を少ない回数に抑えることができ、生産性低下を抑えることが可能になる。
【図面の簡単な説明】
【００２４】
【図１】本発明の実施形態の構成を示す構成図である。
【図２】本発明の実施形態の構成を示す構成図である。
【図３】本発明の実施形態の主要部の構成を示す構成図である。
【図４】本発明の実施形態の主要部の構成を示す構成図である。
【図５】本発明の実施形態の動作を示すフローチャートである。
【図６】本発明の実施形態で使用されるテーブルの一例を示す構成図である。
【図７】本発明の実施形態で使用されるテーブルの一例を示す構成図である。
【図８】本発明の実施形態で使用されるテーブルの一例を示す構成図である。
【図９】本発明の実施形態のパッチの一例を示す説明図である。
【図１０】本発明の実施形態のパッチの一例を示す説明図である。
【図１１】本発明の実施形態の動作を示すフローチャートである。
【図１２】本発明の実施形態の動作を示すフローチャートである。
【図１３】本発明の実施形態で使用されるテーブルの一例を示す構成図である。
【図１４】本発明の実施形態で使用されるテーブルの一例を示す構成図である。
【図１５】本発明の実施形態の動作を示すフローチャートである。
【図１６】本発明の実施形態の動作を示すフローチャートである。
【図１７】本発明の実施形態で使用されるテーブルの一例を示す構成図である。
【図１８】本発明の実施形態の動作を示すフローチャートである。
【図１９】本発明の実施形態の動作を示すフローチャートである。
【図２０】本発明の実施形態の動作を示すフローチャートである。
【図２１】本発明の実施形態で使用されるテーブルの一例を示す構成図である。
【図２２】本発明の実施形態で使用されるテーブルの一例を示す構成図である。
【発明を実施するための形態】
【００２５】
以下、図面を参照して、画像形成装置や画像形成装置において画像形成されて出力される用紙の画像を無駄なく必要な画質で読み取る実施形態を詳細に説明する。
〔画像形成装置の構成〕
ここで、画像形成装置の第一構成例として、図１と図２に基づいて詳細に説明する。この図１と図２では、画像形成された用紙（出力物）を読み取ることが可能な画像形成装置１００について説明する。
【００２６】
ここで、画像形成装置１００は、画像形成装置１００内の各部を制御する制御部１０１と、接続されている他の装置と通信するための通信部１０２と、利用者による操作入力と画像形成装置１００の状態表示とを行う操作表示部１０３と、各種設定を記憶する記憶部１０４と、給紙トレイに収容された用紙を給紙可能な給紙部１０５と、装置内で用紙を搬送する搬送部１０７と、原稿を読み取る原稿読取部１１０と、画像形成する際の画像データや各種データを記憶する画像データ記憶部１３０と、画像形成に必要な各種画像処理を実行する画像処理部１４０と、画像形成命令と画像データとに基づいて用紙上に画像を形成する画像形成部１５０と、用紙上に形成されたトナーによる画像を熱と圧力とで安定させる定着部１６０と、用紙に形成された画像を読み取る出力物読取部１９０と、を備えて構成されている。
【００２７】
なお、画像形成部１５０は、図２に示されるように、帯電された像担持体に形成される静電潜像が現像されてトナー像となり、中間転写体上で各色のトナー像が重ね合わされてから用紙に転写される、いわゆる電子写真方式の画像形成部である。但し、画像形成部１５０の具体的構成は、図２に示すものに限られない。
【００２８】
また、出力物読取部１９０は、用紙上に画像形成された画像を読み取るもので、画像形成部１５０と定着部１６０の下流側に配置されており、用紙搬送中に画像を読み取る構成となっている。なお、出力物読取部１９０は、画像形成装置１００の後段の、中間処理装置や後処理装置に配置されていても良い。
【００２９】
また、出力物読取部１９０は、用紙の一方の面の画像を読み取る出力物読取部１９０ａと、用紙の他方の面の画像を読み取る出力物読取部１９０ｂと、を備えて構成されている。
そして、このような画像形成装置１００では、画像形成後の読み取り結果を参照し、画像形成位置や画質（色、濃度、線幅など）を調整する機能を有しており、出力物読取部１９０の読み取り結果は、制御部１０１に供給される。
【００３０】
ここで、図３と図４とを参照して、出力物読取部１９０の概略構成を説明する。ここでは、出力物読取部１９０ａの構成について説明するが、出力物読取部１９０ｂについても読み取り面が異なるだけで、基本的な構成は同一である。
図３は校正時以外、すなわち、通常画像形成時、待機時、停止時などの状態における出力物読取部１９０ａを示している。用紙を搬送する搬送経路１９３０を挟んで、用紙を読み取る面にラインセンサ１９１０が配置され、用紙の背面側に対向板１９２０が配置されている。
【００３１】
ここで、ラインセンサ１９１０と対向板１９２０とは、この紙面の垂直方向に、用紙の最大幅をカバーする長さを有して構成されている。
ラインセンサ１９１０は、用紙の読み取り面近傍を照明するランプ１９１１、撮像素子に紙粉が付着することを防止する防塵ガラス１９１２、読み取り光を撮像素子に導くミラー１９１３、導かれた読み取り光を光電変換する撮像素子１９１４、を備えて構成されている。
【００３２】
対向板１９２０は用紙の読み取り面の背面側に配置されており、紙面垂直方向を長手方向とすると共に、この長手方向を中心軸として回転可能に校正されている。
また、対向板１９２０は、用紙搬送時に用紙を背面から支える通紙面１９２２、出力物読取部１９０ａの校正を実行する際に白色基準として読み取られる白色基準面１９２１０、を備えて構成されている。なお、図３は校正時以外、すなわち、通常画像形成時、待機時、停止時などの状態を示しているため、対向板１９２０は通紙面１９２２を搬送経路１９３０側に向けている。
【００３３】
図４は校正時の状態における出力物読取部１９０ａを示している。ここで、図４は校正時の状態を示しているため、対向板１９２０は白色基準面１９２１を搬送経路１９３０側に向けている。すなわち、校正時には、用紙ではなく、白色基準面１９２１をラインセンサ１９１０が読み取る。なお、この白色基準面１９２１は、撮像素子１９１４に含まれる各光電変換素子のゲイン補正に使用できるレベルに、一様な白色度であるように構成されている。
【００３４】
なお、ここでは、対向板１９２０が回転することで通紙面１９２２と白色基準面１９２１とを切り替える構成であるが、これに限定されるものではない。例えば、通紙面１９２２と白色基準面１９２１とが同一平面に設けられていて、スライドすることで、いずれか一方を用紙背面（校正時の読み取り位置）に配置できる構成であっても良い。
【００３５】
〔画像形成装置の動作（１）〕
以下、本実施形態における画像形成装置１００の動作（１）について説明する。ここで、本実施形態において「調整」とは、出力物読取部１９０の読み取り結果を用いた画像形成位置調整や画質調整を意味する。また、調整は、複数種類存在しているものとする。
【００３６】
また、本実施形態において「校正」とは、出力物読取部１９０による白色基準面１９２１の読み取り結果を用いた撮像素子ゲイン補正やランプの光量ムラ補正（シェーディング補正）を意味する。
なお、制御部１０１は、図６以降に示す各種のテーブル（動作状態管理テーブル（図６）、調整管理テーブル（図７）、校正設定テーブル（図８）、校正間隔設定テーブル（図１３）、校正ライン数設定テーブル（図１４））を用いて、動作状態における各種のモードや状態を管理している。なお、これらの各種テーブルは、記憶部１０４内に記憶されている。
【００３７】
〔動作（１−１）〕
まず、調整モードではなく通常モードである場合の画像形成装置１００の動作を先に説明する。
この画像形成装置１００において、制御部１０１は、ジョブ処理の開始処理として、ページカウンタの値Ｎとして初期値Ｎ＝１、動作モード＝通常印刷モードと設定し、画像形成部１５０にジョブ開始を指示して画像形成の準備をさせる（図５中のステップＳ１０１）。
【００３８】
また、制御部１０１は、開始処理の一環として、出力物読取部１９０での読み取り準備を指示する。すなわち、制御部１０１は、ランプ１９１１を点灯をさせ、通紙面１９２２が搬送経路１９３０側になるように、対向板１９２０を回転させる。
そして、制御部１０１は、ジョブ処理の開始処理の一環として、動作状態管理テーブル（図６参照）の前回校正時刻に現在時刻を設定する。また、次に実施する調整で必ず校正を実施させるため、動作状態管理テーブルの初回校正＝ＹＥＳに設定する。
【００３９】
また、制御部１０１は、複数の調整それぞれについて、調整が必要な状態であるか否かを確認する（図５中のステップＳ１０２）。なお、この調整条件確認（図５中のステップＳ１０２）の詳細な処理については、後に別なフローチャートを参照して詳しく説明する。
【００４０】
制御部１０１は、複数の調整のいずれかについて実行する必要があるか否かを判断する（図５中のステップＳ１０３）。ここで、制御部１０１は、調整管理テーブル（図７）を参照し、調整必要＝ＹＥＳと設定された調整が１つでもあれば調整必要と判断する。
図７の具体例では、表裏位置補正とカラーレジスト補正で調整必要＝ＹＥＳと設定されているため、制御部１０１は調整必要と判断する（図５中のステップＳ１０３でＹＥＳ）。この調整管理テーブルにおいて全ての調整について調整必要＝ＮＯであれば、制御部１０１は調整不要と判断する（図５中のステップＳ１０３でＮＯ）。
【００４１】
なお、調整モード選択（図５中のステップＳ１０４）以降については、後の詳しく説明することにして、通常の画像形成について先に説明する。
調整管理テーブルにおいて全ての調整について調整必要＝ＮＯであって、制御部１０１が調整不要と判断した場合（図５中のステップＳ１０３でＮＯ）、制御部１０１は、Ｎページ目の画像を画像形成するよう給紙部１０５と画像形成部１５０を制御する（図５中のステップＳ１０９）。そして、制御部１０１は、次ページの準備として、動作状態管理テーブルにおけるページカウンタＮを１ページ分進める（図５中のステップＳ１１０）。
【００４２】
制御部１０１は、画像形成装置１００の現在実行中の動作モードが調整モードであるか否かを判断する（図５中のステップＳ１１１）。なお、制御部１０１は、動作状態管理テーブル（図６参照）を用いて、現在の動作モードを判断する。
動作モード判断により調整モードでなく、通常モードであると判断された場合は（図５中のステップＳ１１１でＮＯ）、画像形成部１５０が通常モードの画像形成を実行しているため、制御部１０１は、調整管理テーブル(図７)の各調整の前回調整後の経過枚数＝前回調整後の経過枚数＋１、と更新する（図５中のステップＳ１１４）。
【００４３】
制御部１０１は、ジョブ中にページカウンタＮに対応するページあるか、すなわち次ページがあるか否かを判断する（図５中のステップＳ１１５）。次ページありと判断された場合は（図５中のステップＳ１１５でＹＥＳ）、制御部１０１は、次ページの処理のために調整条件確認（図５中のステップＳ１０２）に戻る。次ページなしと判断された場合は（図５中のステップＳ１１５でＮＯ）、制御部１０１は、給紙部１０５と画像形成部１５０とにジョブ終了を指示して、画像形成処理を終了させる。また、制御部１０１は、出力物読取部１９０に読み取り終了を指示して、ランプ１９１１を消灯させる。
【００４４】
〔動作（１−２）〕
以下、調整モードである場合の画像形成装置１００の動作を説明する。すなわち、制御部１０１が調整管理テーブル（図７）を参照し、調整必要と判断した場合図５中のステップＳ１０３でＹＥＳ）について、以下に説明する。
【００４５】
制御部１０１は、調整管理テーブル（図７）を参照して調整必要と判断された調整モードを、動作状態管理テーブル（図６）に設定する。複数の調整が必要と判断された場合は、調整管理テーブル(図７)の優先度の高い調整を選択して、調整モードとして設定する（図５中のステップＳ１０４）。
【００４６】
そして、制御部１０１は、調整モードを実行するに際して、校正が必要であるか判断する。そして、必要である場合は校正を実行する（図５中のステップＳ１０５）。なお、この部分の詳細については、別途、フローチャートを参照して詳しく説明する。
制御部１０１は、選択された調整モードが、専用チャート調整か兼用チャート調整であるかを、校正設定テーブル（図８）を参照して判断する（図５中のステップＳ１０６）。この校正設定テーブルにおいて、専用チャート調整＝ＹＥＳであれば専用チャート調整であり、専用チャート調整＝ＮＯであれば兼用チャート調整である。
【００４７】
兼用チャート調整では、ジョブとしてプリントする画像の外側に、調整用のパッチやトンボを印字する。図９の例では、ジョブとしてプリントする画像の外側に、濃度補正又は色彩補正のチャートが形成された様子を示している。
この場合、制御部１０１は、選択された調整モードに応じた兼用チャートのプリントを、通常モードの画像のプリント時（図５中のステップＳ１０９）に同時に実行できるよう、兼用チャートの画像データを準備する（図５中のステップＳ１０８）。そして、制御部１０１は、Ｎページ目の画像を、周囲の兼用チャートと共に画像形成するよう、給紙部１０５と画像形成部１５０を制御する（図５中のステップＳ１０９）。
【００４８】
一方、専用チャート調整では、図１０のように、調整用のパッチやトンボ等のみを画像形成部１５０においてプリントする（図５中のステップＳ１０７）。図１０では、濃度補正用のチャートの具体例を示している。すなわち、制御部１０１は、専用チャート調整のデータを用意して、給紙部１０５と画像形成部１５０とを制御し、専用チャートのプリントを実行させる。
【００４９】
制御部１０１は、動作状態管理テーブル（図６参照）を参照して、画像形成装置１００の現在実行中の動作モードが調整モードであるか否かを判断する（図５中のステップＳ１１１）。動作モード判断により調整モードであると判断された場合は（図５中のステップＳ１１１でＹＥＳ）、制御部１０１は、用紙にプリントされたチャートを出力物読取部１９０により読み取るよう制御する（図５中のステップＳ１１２）。
【００５０】
なお、制御部１０１は、用紙のどの面にチャートがプリントされたかに応じて、出力物読取部１９０ａと出力物読取部１９０ｂの一方または両方に対して、チャートの読み取りを指示する。また、制御部１０１は、搬送経路１９３０を搬送される用紙を用紙検知センサで検知し、チャートの読み取りを開始するように指示することが望ましい。
【００５１】
そして、制御部１０１は、出力物読取部１９０における読み取り結果を参照して、画像形成部１５０の各部を調整する（図５中のステップＳ１１３）。なお、詳しく説明すると、制御部１０１は、出力物読取部１９０で読み取られチャートに基づいて、調整モードに応じた解析を行って調整値を算出する。そして、制御部１０１は、算出された調整値が正常値（正常範囲内）である場合は、画像形成部１５０に対して、算出した調整値を設定するよう指示する。また、制御部１０１は、実施した調整項目に対し、調整管理テーブル(図７)の前回調整後の経過枚数＝０に設定する。実施していない調整に対し、前回調整後の経過枚数＝前回調整後の経過枚数＋１に更新する。
【００５２】
〔動作（１−２−１）〕
以下、基本フローチャートの調整条件確認（図５中のステップＳ１０２）の詳細な処理について、図１１のフローチャートを参照して詳しく説明する。
制御部１０１は、複数の調整それぞれについて、調整が必要な状態であるか否かを確認する（図５中のステップＳ１０２）。
【００５３】
このとき制御部１０１は、調整管理テーブル(図７)を読み出す（図１１中のステップＳ１０２１）。この調整管理テーブルには、ユーザが操作表示部１０３を介して予め設定した画像形成部１５０の各調整の調整有無が、調整種別毎に格納されている（図７中の「調整種別」「調整有無」）。また、各調整が前回実施されてからプリントされた用紙枚数が、前回実施後経過枚数としてカウントされて格納されている（図７中の「前回調整後の経過枚数（枚）」）。
【００５４】
制御部１０１は、調整有無が有効であるか否かを判断する（図１１中のステップＳ１０２２）。ここで、制御部１０１は、調整管理テーブル（図７）と校正設定テーブル（図８）を参照し、調整有無＝有効である場合は、調整有効と判断する（図１１中のステップＳ１０２２でＹＥＳ）。一方、制御部１０１は、調整有無＝無効である場合は、調整無効と判断し（図１１中のステップＳ１０２２でＮＯ）、後述するように調整を不要と設定する（図１１中のステップＳ１０２８）。
【００５５】
制御部１０１は、調整有効と判断した場合（図１１中のステップＳ１０２２でＹＥＳ）、調整管理テーブル（図７）を参照して、前回調整後の経過枚数を取得する（図１１中のステップＳ１０２３）。
そして、制御部１０１は、前回調整後の経過枚数が調整間隔以上であるかを判断する（図１１中のステップＳ１０２６）。ここで、前回実施後経過枚数≧調整間隔であれば（図１１中のステップＳ１０２６でＹＥＳ）、制御部１０１は、画像形成部１５０の調整が必要と判断し、調整管理テーブルの調整必要フラグ＝ＹＥＳ（調整必要）に設定する（図１１中のステップＳ１０２７）。一方、前回実施後経過枚数＜調整間隔であれば（図１１中のステップＳ１０２６でＮＯ）、制御部１０１は、画像形成部１５０の調整が不要と判断し、調整管理テーブルの調整必要フラグ＝ＮＯ（調整不要）に設定する（図１１中のステップＳ１０２８）。
【００５６】
また、制御部１０１は、調整条件を確認していない調整項目があるか確認し、調整項目がある場合はステップＳ１０２１に戻り、調整項目がない場合は処理を終了する（図１１中のス調整課条件確認エンド）。
〔動作（１−２−２）〕
以下、基本フローチャートの校正実行（図５中のステップＳ１０５）の詳細な処理について、図１２のフローチャートを参照して詳しく説明する。
【００５７】
制御部１０１は、動作状態管理テーブル（図６）を参照し、初回校正フラグを確認する（図１２中のステップＳ１０５０）。
ここで、制御部１０１は、初回校正＝ＹＥＳの場合は、校正必要と判断し（図１２中のステップＳ１０５０でＹＥＳ）、以下の処理に進む。
【００５８】
制御部１０１は、出力物読取部１９０に対して校正を指示すると共に、画像形成部１５０にも校正開始を送信し、以下のように校正を実行する（図１２中のステップＳ１０５７）。ここで、校正開始を受信した画像形成部１５０は、校正中に搬送経路１９３０を用紙が搬送されないように、給紙と画像形成とを中断するようにする。
【００５９】
制御部１０１は、白色基準面１９２１が搬送経路１９３０側になるように、対向板１９２０を回転させる。制御部１０１は、白色基準面１９２１を読み取った出力物読取部１９０の出力データを受信して、出力物読取部１９０のゲイン補正やシェーディング補正の演算を行い、校正結果を設定する。なお、制御部１０１は、出力物読取部１９０に含まれる出力物読取部１９０ａと出力物読取部１９０ｂとに以上の校正を実行する。
【００６０】
そして、校正を完了した後、制御部１０１は、通紙面１９２２が搬送経路１９３０側になるように対向板１９２０を回転させる。また、制御部１０１は、校正を完了すると、画像形成部１５０に対して校正完了を送信する。画像形成部１５０は、校正完了を受信すると、給紙と画像形成とを再開する。
【００６１】
また、制御部１０１は、動作状態管理テーブル（図６）の前回校正時刻を現在時刻に更新する（図１２中のステップＳ１０５８）。また、制御部１０１は、今回実行した校正が初回校正であれば、初回校正フラグ＝ＮＯに設定する。
また、制御部１０１は、ステップＳ１０５０で初回校正＝ＮＯの場合は、ジョブ開始後少なくとも１回は校正を実施したと判断することにより校正不要と判断し（図１２中のステップＳ１０５０でＮＯ）、以下の処理に進む。
【００６２】
ここで、制御部１０１は、校正設定テーブル（図８）を参照し、選択された調整モードのジョブ中校正要否（図８中の「ジョブ中校正要否」）の欄を参照し、ジョブ中校正が必要であるか判断する（図１２中のステップＳ１０５１）。
ここで、ジョブ中校正必要と判断された場合は（図１２中のステップＳ１０５１でＹＥＳ）、以下の処理に進む。一方、ジョブ中校正必要ではない判断された場合は（図１２中のステップＳ１０５１でＮＯ）、校正を行わないため、処理を終了する（図１２中のエンド）。
【００６３】
なお、調整の種別が表裏位置補正や線幅補正の場合は、出力物読取部１９０においてトンボ位置を検出するだけで良い。このため、色精度が低くてよい。そのため、ランプ光量変動によるジョブ中の校正実施は不要と考えることができる。一方、調整の種別が色彩補正である場合は、濃度補正等よりも色精度への要求が厳しい。このため、頻繁に出力物読取部１９０の校正を実施して、色精度を高精度に保つ必要がある。このように、本実施形態では、調整種別によりジョブ中校正が必要か不要かが定められている。
【００６４】
ここで、制御部１０１は、動作状態管理テーブル（図６）の前回校正時刻と現在時刻の差分から、前回校正からの経過時間（校正経過時間）を算出する（図１２中のステップＳ１０５２）。
また、制御部１０１は、校正設定テーブル（図８）を参照し、現在調整モードに校正間隔係数を適用するか否かを判断する（図１２中のステップＳ１０５３）。なお、校正間隔係数については後述するが、点灯直後のランプなどで安定状態にない場合であって、その非安定状態の影響を受けやすい場合に、校正間隔を一時的に変更するための係数である。
【００６５】
図８の校正設定テーブルにおいて校正間隔係数適用＝ありの場合は（図１２中のステップＳ１０５３でＹＥＳ）、制御部１０１は、校正間隔係数を選択して適用するため、ステップＳ１０５４以降の処理に進む。一方、図８の校正設定テーブルにおいて校正間隔係数適用＝なしの場合は（図１２中のステップＳ１０５３でＮＯ）、制御部１０１は、校正間隔係数＝１．０であるとしてステップＳ１０５６以降の処理に進む。
【００６６】
図８の校正設定テーブルにおいて校正間隔係数適用＝ありの場合は（図１２中のステップＳ１０５３でＹＥＳ）、制御部１０１は、動作状態管理テーブル（図６）の前回校正時刻と現在時刻の差分から、ランプ点灯開始からの経過時間を算出する（図１２中のステップＳ１０５４）。
【００６７】
制御部１０１は、ランプ点灯からの経過時間に応じた校正間隔係数を、校正間隔係数テーブル（図１３）を参照して選択する（図１２中のステップＳ１０５５）。ランプ点灯からランプ温度が安定するまでの時間は、色味の変動が大きいので、校正間隔を小さくして実行頻度を高くする必要があるためである。なお、ここでは、ランプ点灯時間により校正間隔を選択しているが、安定状態に至るまでに時間が必要になる他の部位が存在すれば、同様に校正間隔係数を選択することが望ましい。
【００６８】
そして、制御部１０１は、校正設定テーブル（図８）を参照し、「前回校正からの経過時間≧現在調整モードの校正間隔」であるか否かを判断する（図１２中のステップＳ１０５６）。なお、現在調整モードの校正間隔に対しては、以上のようにして選択した校正間隔係数を乗じる。
【００６９】
そして、制御部１０１は、校正設定テーブル（図８）を参照し、「前回校正からの経過時間≧現在調整モードの校正間隔」である場合は（図１２中のステップＳ１０５６でＹＥＳ）、校正が必要であると判断し、以下の校正実施（図１２中のステップＳ１０５７）に進む。なお、校正実施後に、制御部１０１は、動作状態管理テーブル（図６）の前回校正時刻を現在時刻に更新する（図１２中のステップＳ１０５８）。
【００７０】
一方、制御部１０１は、校正設定テーブル（図８）を参照し、「前回校正からの経過時間≧現在調整モードの校正間隔」でない場合は（図１２中のステップＳ１０５６でＮＯ）、校正が不要であると判断し、処理を終了する（図１２中のエンド）。
なお、以上の校正実施（図１２中のステップＳ１０５７）において、校正面の読み取りライン数を一定にするのではなく、調整の種類に応じて校正面の読み取りライン数を変更することが望ましい。
【００７１】
すなわち、図１４に示すよう、調整の種類に応じて要求される校正の精度に応じて、出力物読取部１９０が読み取るライン数を決定すれば良い。高精度な校正が必要であれば、読み取りライン数を増やし、高精度な校正は必要ない場合には読み取りライン数を減らす。これにより、出力物読取部１９０の校正を少ない時間に抑えることができ、生産性低下を抑えることが可能になる。
【００７２】
〔動作（１−３）〕
以上の本実施例の説明では、複数の調整が同時に必要となった場合、調整モード選択（図５中のステップＳ１０４）にて優先度に基づいて調整項目を１つを選択するようにした。これに対し、複数の調整が同時に必要となった場合の調整モード選択（図５中のステップＳ１０４）において、複数の調整をまとめて（複数の調整のチャートをまとめた専用チャートを印刷）、あるいは、順に（連続するページに順にチャートを印刷）実施するように、選択を行ってもよい。
【００７３】
この場合、制御部１０１は、校正が必要か否かを判断する（図１２中のステップＳ１０５６）際に、実施する調整の「校正間隔」のうち最も短い時間で判断することが、校正を確実に実行するうえで望ましい。
〔画像形成装置の動作（２）〕
以下、本実施形態における画像形成装置１００の動作（２）について説明する。ここで、既に説明した動作（１）と重複する部分についての説明は省略し、異なる部分を中心に説明する。
【００７４】
この画像形成装置１００において、制御部１０１は、ジョブ処理の開始処理として、ページカウンタの値Ｎとして初期値Ｎ＝１、動作モード＝通常印刷モードと設定し、画像形成部１５０にジョブ開始を指示して画像形成の準備をさせる（図１５中のステップＳ１０１ａ）。
【００７５】
また、この画像形成装置１００において、制御部１０１は、後述する前倒し処理の初期設定として、前倒し予約＝ＮＯ、前倒し予約枚数＝０、と、前倒し処理に関するパラメータを初期化する（図１５中のステップＳ１０１ｂ）。なお、これらのパラメータについては、後述する。
【００７６】
また、制御部１０１は、複数の調整それぞれについて、前倒し処理を含めて、調整が必要な状態であるか否かを確認する（図１５中のステップＳ１０２Ａ）。なお、この調整条件確認（図１５中のステップＳ１０２Ａ）の詳細な処理については、別なフローチャートを参照して詳しく説明する。
【００７７】
〔動作（２−１）〕
以下、基本フローチャートの調整条件確認（図１５中のステップＳ１０２）の詳細な処理について、図１６のフローチャートを参照して詳しく説明する。
なお、ここでも、既に説明した動作（１）と重複する部分についての説明は省略し、異なる部分を中心に説明する。
【００７８】
制御部１０１は、調整条件取得、調整有効判断、経過枚数取得の後、調整管理テーブル（図１７）の「前倒し予約（ＹＥＳ／ＮＯ）」の欄を参照し、前倒し予約があるか否かを判断する（図１６中のステップＳ１０２４）。
調整管理テーブル（図１７）において前倒し予約＝ＹＥＳであれば、制御部１０１は前倒し予約があると判断し（図１６中のステップＳ１０２４でＹＥＳ）、調整管理テーブル（図１７）から現在の調整項目の前倒し枚数を読み出す（図１６中のステップＳ１０２５）。一方、調整管理テーブル（図１７）において前倒し予約＝ＮＯであれば、制御部１０１は前倒し予約がないと判断し（図１６中のステップＳ１０２４でＮＯ）、初期設定された前倒し枚数＝０とする。
【００７９】
そして、制御部１０１は、前回調整後の経過枚数と前倒し枚数との合計が、が調整間隔以上であるかを判断する（図１６中のステップＳ１０２６Ａ）。ここで、（前回実施後経過枚数＋前倒し枚数）≧調整間隔であれば（図１６中のステップＳ１０２６ＡでＹＥＳ）、制御部１０１は、画像形成部１５０の調整が必要と判断し、調整管理テーブルの調整必要フラグ＝ＹＥＳ（調整必要）に設定する（図１６中のステップＳ１０２７）。一方、（前回実施後経過枚数＋前倒し枚数）＜調整間隔であれば（図１６中のステップＳ１０２６ＡでＮＯ）、制御部１０１は、画像形成部１５０の調整が不要と判断し、調整管理テーブルの調整必要フラグ＝ＮＯ（調整不要）に設定する（図１６中のステップＳ１０２８）。
【００８０】
なお、この図１６のフローチャートにおいて制御部１０１により参照される前倒し予約と前倒し枚数（図１６中のステップＳ１０２４、Ｓ１０２５）については、後述する図１９のフローチャートにおいて、前倒し予約の登録と前倒し枚数の記録とがなされる。
〔動作（２−２）〕
以下、基本フローチャートの校正実行（図１５中のステップＳ１０５）の詳細な処理について、図１８のフローチャートを参照して詳しく説明する。
【００８１】
なお、ここでも、既に説明した動作（１）と重複する部分についての説明は省略し、異なる部分を中心に説明する。
制御部１０１は、各調整の校正間隔を参照して、前倒し可能な調整があるか判断し、前倒し可能な場合は、調整前倒し予約設定を行う（図１８中のステップＳ１０５９）。
【００８２】
〔動作（２−３）〕
以下、調整前倒し予約設定（図１８中のステップＳ１０５９）の詳細な処理について、図１９のフローチャートを参照して詳しく説明する。
制御部１０１は、調整管理テーブル（図１７）と校正設定テーブル（図８）とを参照し、調整間隔枚数と前回調整からの経過枚数から、次調整までの枚数を算出し、この次調整までの枚数から次調整予定時刻を算出する（図１８中のステップＳ１０５９１）。
【００８３】
また、制御部１０１は、調整管理テーブル（図１７）を参照し、次調整までに校正が必要になるか否かを判断する（図１９中のステップＳ１０５９２）。
すなわち、制御部１０１は、次調整予定までの時間＞校正間隔であれば、次調整までに校正が必要になると判断して（図１９中のステップＳ１０５９２でＹＥＳ）、以下の処理に進む。
【００８４】
一方、制御部１０１は、次調整予定までの時間≦校正間隔であれば、次調整までに校正が必要にならないと判断し（図１９中のステップＳ１０５９２でＮＯ）、次の調整について同様な判断を行う（図１９中のステップＳ１０５９５）。
次調整までに校正が必要になると判断された場合（図１９中のステップＳ１０５９２でＹＥＳ）、制御部１０１は、調整前倒しが可能であるか否かを判断する（図１９中のステップＳ１０５９３）。
【００８５】
ここで、制御部１０１は、（校正間隔＋前倒し可能時間）＞次実施予定までの時間、である場合は、調整の前倒し可能と判断し（図１９中のステップＳ１０５９３でＹＥＳ）、以下の処理に進む。
一方、制御部１０１は、（校正間隔＋前倒し可能時間）≦次実施予定までの時間、である場合は、調整の前倒し不可能と判断し（図１９中のステップＳ１０５９３でＮＯ）、次の調整について同様な判断を行う（図１９中のステップＳ１０５９５）。
【００８６】
例えば、カラーレジスト補正の場合は、校正間隔：1200秒（図８参照）、前倒し可能時間：150秒（図１７参照）、次実施予定までの時間：1275秒（図１７参照）、である。従って、以上の式、（校正間隔：1200秒＋前倒し可能時間：150秒)＞次実施予定までの時間：1275秒、を満たす。このため、制御部１０１は、前倒し予約可能と判断する。同様に、色彩補正の場合は、(校正間隔：60秒＋前倒し可能時間：400秒)＜次実施予定までの時間：1160秒、であるので、制御部１０１は、前倒し予約不可能と判断する。
【００８７】
以上のように判断して前倒し予約可能であると判断された場合（図１９中のステップＳ１０５９２でＹＥＳ、Ｓ１０５９３でＹＥＳ）、制御部１０１は、調整を前倒しするように、調整管理テーブル（図１７）に前倒し予約を登録する（図１７中の前倒し予約＝ＹＥＳ、図１９中のステップＳ１０５９４）。
【００８８】
このとき、（次実施予定までの時間−校正間隔）に相当する用紙枚数を、前倒し枚数として算出して、調整管理テーブル（図１７）に記録する。
なお、以上のようにして、前倒し予約の登録と前倒し枚数の記録とがなされたものが（図１９中のステップＳ１０５９４）、図１６のフローチャートにおいて、制御部１０１により参照される（図１６中のステップＳ１０２４、Ｓ１０２５）。
【００８９】
また、制御部１０１は、次調整時に校正が必要か確認していない調整項目があるか確認し（図１９中のステップＳ１０５９５）、調整項目がある場合はステップＳ１０５９１に戻って同様な処理を繰り返し、調整項目が無い場合は処理を終了する。
なお、以上の説明において、調整の前倒しを枚数として管理していたが、これに限定されるものではない。例えば、調整の前倒しを時間で管理することも可能である。
【００９０】
〔画像形成装置の動作（３）〕
以下、本実施形態における画像形成装置１００の動作（３）について説明する。ここで、既に説明した動作（１）や動作（２）と重複する部分についての説明は省略し、異なる部分を中心に説明する。
【００９１】
〔動作（３−１）〕
以下、基本フローチャートの校正実行（図５中のステップＳ１０５、図１５中のステップＳ１０５）の動作（３）としての詳細な処理について、図１２や図１８と対応させた図２０のフローチャートを参照して詳しく説明する。なお、ここで、既に説明した動作（１）や動作（２）と重複する部分についての説明は省略あるいは簡略化し、異なる部分を中心に説明する。
【００９２】
制御部１０１は、校正設定テーブル（図２１）を参照し、選択された調整モードのジョブ中校正要否（図２１中の「ジョブ中校正要否」）の欄を参照し、ジョブ中校正が必要であるか判断する（図２０中のステップＳ１０５１）。
ここで、ジョブ中校正必要と判断された場合は（図２０中のステップＳ１０５１でＹＥＳ）、制御部１０１は、出力物読取部１９０に含まれる出力物読取部１９０ａと出力物読取部１９０ｂとのそれぞれについて、動作状態管理テーブル（図２２）の前回校正時刻と現在時刻の差分から、前回校正からの経過時間（校正経過時間）を算出する（図２０中のステップＳ１０５２ａ）。
【００９３】
また、制御部１０１は、現在の調整が両面読み取りであるか否かを判断する（図２０中のステップＳ１０５２ｂ）。
両面読み取りの調整であれば（図２０中のステップＳ１０５２ｂでＹＥＳ）、制御部１０１は、校正設定テーブル（図２１）を参照し、出力物読取部１９０ａと出力物読取部１９０ｂのいずれか一方でも「前回校正からの経過時間≧現在調整モードの校正間隔」に該当するか否かを判断する（図２０中のステップＳ１０５６ａ）。この場合、出力物読取部１９０ａと出力物読取部１９０ｂのいずれか一方でも条件に該当すれば校正間隔以上であると判断する（図２０中のステップＳ１０５６ａでＹＥＳ）。
【００９４】
そして、制御部１０１は、両面読み取りの調整について校正が必要であると判断した場合（図２０中のステップＳ１０５６ａでＹＥＳ）、両面読み取りの校正実施（図２０中のステップＳ１０５７ａ）に進む。すなわち、出力物読取部１９０に含まれる出力物読取部１９０ａと出力物読取部１９０ｂとのそれぞれについて、校正を実施する。そして、校正後に、制御部１０１は、動作状態管理テーブル（図２２）の前回校正時刻を、出力物読取部１９０ａと出力物読取部１９０ｂとのそれぞれについて、現在時刻に更新する（図２０中のステップＳ１０５８ａ）。
【００９５】
また、出力物読取部１９０ａと出力物読取部１９０ｂのいずれも条件に該当しなれば校正間隔以上ではない判断し（図２０中のステップＳ１０５６ａでＮＯ）、処理を終了する（図２０中のエンド）。
両面読み取りの調整でなければ（図２０中のステップＳ１０５２ｂでＮＯ）、制御部１０１は、校正設定テーブル（図２１）を参照し、用紙第１面を読み取る出力物読取部１９０（例えば、出力物読取部１９０ａ）が「前回校正からの経過時間≧現在調整モードの校正間隔」に該当するか否かを判断する（図２０中のステップＳ１０５６ｂ）。
【００９６】
そして、制御部１０１は、片面読み取りの調整について校正が必要であると判断した場合（図２０中のステップＳ１０５６ｂでＹＥＳ）、両面読み取り調整の予定時刻（両面読み取り調整予定時刻）を算出する（図２０中のステップＳ１０５６ｃ）
すなわち、制御部１０１は、調整管理テーブル（図１７）と校正設定テーブル（図２１）を参照し、現在調整モード以外の両面読取＝ＹＥＳである調整を、次両面調整として抽出する。そして、制御部１０１は、抽出された次両面調整のそれぞれの面について、調整間隔枚数と前回調整からの経過枚数から次調整までの枚数を算出し、次調整予定時刻を両面読み取り調整予定時刻として算出する。
【００９７】
そして、制御部１０１は、（両面読み取り調整予定時刻−現在時刻）＜校正間隔、となる次両面調整が一つ以上あるかを判断する（図２０中のステップＳ１０５６ｄ）。制御部１０１は、以上のような次両面調整が一つ以上ある場合、今回の校正として両面校正が必要であると判断し（図２０中のステップＳ１０５６ｄでＹＥＳ）、両面読み取りの校正実施（図２０中のステップＳ１０５７ａ）に進む。すなわち、出力物読取部１９０に含まれる出力物読取部１９０ａと出力物読取部１９０ｂとのそれぞれについて、校正を実施する。そして、校正後に、制御部１０１は、動作状態管理テーブル（図２２）の前回校正時刻を、出力物読取部１９０ａと出力物読取部１９０ｂとのそれぞれについて、現在時刻に更新する（図２０中のステップＳ１０５８ａ）。
【００９８】
一方、制御部１０１は、（両面読み取り調整予定時刻−現在時刻）＜校正間隔、となる次両面調整が一つも存在しない場合、今回の校正として両面校正は不要であると判断し（図２０中のステップＳ１０５６ｄでＮＯ）、用紙第１面を読み取る出力物読取部１９０（例えば、出力物読取部１９０ａ）についての校正実施（図２０中のステップＳ１０５７ｂ）に進む。すなわち、出力物読取部１９０の片面について、校正を実施する。そして、校正後に、制御部１０１は、動作状態管理テーブル（図２２）の前回校正時刻を、用紙第１面を読み取る出力物読取部１９０（例えば、出力物読取部１９０ａ）について、現在時刻に更新する（図２０中のステップＳ１０５８ｂ）。
【００９９】
この第３実施形態の場合、片面校正を実行するタイミングにおいて、次に両面校正を実行するタイミングが所定範囲以内であるため、片面校正の代わりに両面校正を実行している。この結果、片面校正と両面校正とを１回の両面校正で済ませることができるため、出力物読取部の校正を少ない回数に抑えることができ、生産性低下を抑えることが可能になる。
【０１００】
〈その他の実施形態〉
なお、以上の実施形態において、制御部１０１が制御している部分を、機能別に複数の制御部に分けて分担するようにしても良い。
また、同様に、各種の処理、各種の管理、各種の調整、各種の判断などを行う部位を分けて構成し、それぞれで分担して処理するようにしても良い。
【０１０１】
また、画像形成装置１００の外部に出力物読取装置が存在するような構成であっても、以上の実施形態と同様の動作により同様の効果を奏することが可能であり、本発明の実施形態の一態様に含まれる。
以上の実施形態において、ランプの点灯初期期間に校正間隔係数を小さくする場合を示しているが、これに限定されるものではない。例えば、長時間連続駆動時に動作が安定しなくなるデバイスが存在する場合には、長時間駆動時に係数を小さくするような設定も可能である。
【符号の説明】
【０１０２】
１００  画像形成装置
１０２  通信部
１０３  操作表示部
１０４  記憶部
１０５  給紙部
１０７  搬送部
１１０  原稿読取部
１３０  画像データ記憶部
１４０  画像処理部
１５０  画像形成部
１６０  定着部
１９０  出力物読取部
【図１】
0006488926.tif 000002
【図２】
0006488926.tif 000003
【図３】
0006488926.tif 000004
【図４】
0006488926.tif 000005
【図５】
0006488926.tif 000006
【図６】
0006488926.tif 000007
【図７】
0006488926.tif 000008
【図８】
0006488926.tif 000009
【図９】
0006488926.tif 000010
【図１０】
0006488926.tif 000011
【図１１】
0006488926.tif 000012
【図１２】
0006488926.tif 000013
【図１３】
0006488926.tif 000014
【図１４】
0006488926.tif 000015
【図１５】
0006488926.tif 000016
【図１６】
0006488926.tif 000017
【図１７】
0006488926.tif 000018
【図１８】
0006488926.tif 000019
【図１９】
0006488926.tif 000020
【図２０】
0006488926.tif 000021
【図２１】
0006488926.tif 000022
【図２２】
0006488926.tif 000023